(57)【要約】【課題】靴下における踵部を人の踵形状に合わせるように編成し、着用時の踵部のズレ動きの発生を効果的に抑えることができる靴下を提供する。【解決手段】靴下の踵部１６における第１祉側に該当する内側で、この踵部１６の内側がゴアライン１８を境に足先側１６ａと足首側１６ｂになる靴下１０であって、前記踵部１６の内側で足先側１６ａの足首側１６ｂと編合する部分に、減らし目ａと増やし目ｂの編合部分Ａをゴアライン１８の長さ方向に複数設け、ゴアライン１８の全長にわたって足先側１６ａの足首側１６ｂと編合する部分の合計編目数を、足首側１６ｂの編目数よりも多くなるように編成した。【選択図】図１
2010001575.tif 000002
【特許請求の範囲】
【請求項１】
靴下の踵部における第１祉側に該当する内側で、この踵部内側がゴアラインを境に足先側と足首側になる靴下において、前記踵部内側の足先側を、ゴアラインの全長にわたって足首側と編合する部分の合計編目数が、足首側の編目数よりも多くなるように編成したことを特徴とする靴下。
【請求項２】
上記踵部内側の足先側におけるゴアラインでの合計編目数は、足先側の足首側と編合する部分に、減らし目と増やし目の編合部分をゴアラインの長さ方向に複数設けることによって形成されていることを特徴とする請求項１に記載の靴下。
【発明の詳細な説明】
【技術分野】
【０００１】
この発明は、着用したときに人の踵によくフィットし、しかも歩行や走行時に踵部分がズレ動くのを有効に防ぐことができる左右特定着用の靴下に関する。
【背景技術】
【０００２】
一般的な靴下は、図３のように、口ゴム部１、脚部２、足部３からなり、口ゴム部１はゴム編みやゴム糸を挿入して伸縮性を持たせ、靴下のずれ落ちを防止する部分であり、前記足部３は、足甲部４、足底部５、踵部６、爪先部７によって構成され、特に踵部６は、ゴアライン８を中心として足先側６ａと足首側６ｂからなり、この足先側６ａと足首側６ｂは、通常目減らしと目増やしを行なうことによって編成されている。
【０００３】
従来のこのような靴下は、踵部６を含めて全体が両側対称に編製されているため、左右の足に対する方向性がなく、従って、一足の靴下は左右の足の何れにも着用できる利便性はある。
【０００４】
ところで、人の足は左右対称形状にはなっておらず、特に踵は踝が突出しているため、靴下の着用時に踵部によってどうしても窮屈感を覚えるため、踵部の編地に余裕を持たせ、窮屈感を軽減するようにした靴下が提案されている（特許文献１参照）。
【特許文献１】特開２００１−１６４４０５号公報
【発明の開示】
【発明が解決しようとする課題】
【０００５】
しかし、人の足は踝の第１祉側である内側は小さく突出し、第５祉側である外側は大きく突出しているが、上記のように、単に踵部の編地に余裕を持たせだけの構造では、踵部の内側と外側を対称形状に編成しているため、踵の形状を考慮したことにはならず、靴下の着用時において、踵の両側形状の違いが原因で靴下の踵部にズレ動きが発生するという問題がある。
【０００６】
そこで、この発明の課題は、靴下における踵部を人の踵形状に合わせるように編成し、着用時の踵部のズレ動きの発生を効果的に抑えることができる靴下を提供することにある。
【課題を解決するための手段】
【０００７】
上記のような課題を解決するため、この発明は、靴下の踵部における第１祉側に該当する内側で、この踵部内側がゴアラインを境に足先側と足首側になる靴下において、前記踵部内側の足先側を、ゴアラインの全長にわたって足首側と編合する部分の合計編目数が、足首側の編目数よりも多くなるように編成した構成を採用したものである。
【０００８】
上記踵部内側の足先側におけるゴアラインでの合計編目数は、足首側と編合する部分に、減らし目と増やし目の編合部分をゴアラインの長さ方向に複数設けることによって形成されている構造とすることができる。
【０００９】
ここで、靴下は、口ゴム部、脚部、足部からなり、前記足部は、足甲部、足底部、踵部、爪先部によって構成され、特に踵部は、ゴアラインを境として足先側と足首側を目減らし、次に目増やしを行うことにより編成されるが、この踵部の編成時に、前記ゴアラインの全長における足首側編地のゴアラインでの編目数に対して、足先側編地のゴアラインでの編目数を、減らし目と増やし目の編合部分を所定間隔で複数設けることにより、実質的に合計編目数を多くなるようにし、踵部の足首側とゴアラインを挟んで編成される足先側に編地の余裕を持たせ、靴下着用時の踵部における第１祉側に該当する内側を踵にフィットする形状に仕上げたものである。
【発明の効果】
【００１０】
この発明によると、靴下の踵部で第１祉側に該当する内側を、踵部内側の足先側を、ゴアラインの全長にわたって足首側と編合する部分の合計編目数が、足首側の編目数よりも多くなるように編成したので、踵部のゴアラインを挟んで足先側の編地に余裕ができ、通常の足首側の編地に対して足先側の編地が余裕を持つことで、踵部の内側が人の足における踵内側突部にフィットする形状になり、これにより、靴下着用時に、踵部のズレ動きの発生を抑えることができ、違和感のない着用状態が得られる。
【発明を実施するための最良の形態】
【００１１】
以下、この発明の実施の形態を添付図面に基づいて説明する。
【００１２】
図１に示すように、この発明の靴下１０は、通常の靴下編機を用いて編成された口ゴム部１１、脚部１２、足部１３からなり、前記足部１３は、足甲部１４、足底部１５、踵部１６、爪先部１７によって構成され、特に踵部１６は、ゴアライン１８を境として足先側１６ａと足首側１６ｂに形成され、この足先側１６ａの編地と足首側１６ｂの編地は目減らしと次に目増やしを行なうことにより編成される。
【００１３】
上記靴下Ａの踵部１６で第１祉側（親指）に該当する内側は、この踵部１６のゴアライン１８を境にして足先側１６ａと足首側１６ｂに編成され、前記踵部１６の内側における足先側１６ａが、ゴアライン１８の全長にわたって足首側１６ｂと編合する部分の合計編目数が、足首側１６ｂの編目数よりも多くなるように編成されている。なお、上記踵部１６で第５祉側（小指）に該当する外側の足先側と足首側は、通常の靴下と同様に編成されている。
【００１４】
上記踵部１６の内側の編成は、足首側１６ｂの編地を通常のように目減らししながら編み上げ、続いて足先側１６ａを編成するとき、この足先側１６ａのゴアライン１８の全長での足首側１６ｂの編地との編合部分において、基本的にゴアライン１８全長での合計編目数を、足首側１６ｂよりも多くなるように編成する。
【００１５】
具体的には、図２のように、足先側１６ａの編地を編み上げて行く場合に、ゴアライン１８を形成しながら足首側１６ｂと編み合わせする部分に、短い長さの減らし目ａと増やし目ｂの編合部分Ａを編成し、この編合部分Ａをゴアライン１８の長さ方向に所定の間隔で複数回繰り返し、ゴアライン１８の全長における足首側１６ｂの編目数に対して、足先側１６ａのゴアライン１８での実質的な編目の合計数を多くなるようにする。
【００１６】
上記ように、足先側１６ａの編地を編み上げて行く場合に、ゴアライン１８を形成しながら足首側１６ｂと編み合わせする部分に、短い長さの減らし目ａと増やし目ｂの編合部分Ａを編成すれば、編合部分Ａでの網目数に編合部分Ａの数をかけた分だけ編目数が多くなり、これを直線状に延ばすと、減らし目ａと増やし目ｂの部分の数の分だけ、足首側１６ｂの編地のゴアライン１８全長での網目数よりも多くなるが、実際には、編合部分Ａがゴアライン１８の長さ方向に対して編合されて縮む部分となるため、編目数を増やしたにもかかわらず、足首側１６ｂによって設定された正規の編目数のゴアライン１８全長に対して、足先側１６ａの編地を編み合わせることができる。
【００１７】
このようにして足首側１６ｂと足先側１６ａを編み合わせることにより、足首側１６ｂの編地が正規の編み上がりであるのに対して、足先側１６ａの編地には、各編合部分Ａで編地がつままれたように編み上がり、足先側１６ａの編地のゴアライン１８側の部分に余裕が生じることになる。
【００１８】
上記のようにして編み上がった靴下１０は、左右特定着用の靴下が組み合わされて一足になり、踵部１６の内側でゴアライン１８を境とする足首側１６ｂと足先側１６ａにおいて、足先側１６ａの編地のゴアライン１８側の部分に各編合部分Ａで余裕を生じさせると、靴下１０の着用時に踵部１６の内側は、足の形状に近いものとなり、踵部１６の内側が踝にフィットするだけでなく過分に引き伸ばされることがなく、踵部１６の過分な引き伸ばしによる収縮力が起因となって発生する踵部１６のズレ動きを効果的に抑えることができる。
【図面の簡単な説明】
【００１９】
【図１】この発明に係る靴下の正面図
【図２】この発明に係る靴下の踵部における足首側と足先側の編目による編合部分を拡大した正面図
【図３】従来の一般的な靴下を示す正面図
【符号の説明】
【００２０】
１０        靴下
１１        口ゴム部
１２        脚部
１３        足部
１４        足甲部
１５        足底部
１６        踵部
１６ａ      足先側
１６ｂ      足首側
１７        爪先部
１８        ゴアライン
ａ          減らし目
ｂ          増やし目
Ａ          編合部分
【図１】
2010001575.tif 000003
【図２】
2010001575.tif 000004
【図３】
2010001575.tif 000005